(57)【特許請求の範囲】
【請求項１】
蓋(20)が嵌合する箱(10)を備えた折り畳み風景構造であって、上記箱は、底面とこの底面から垂直に延び、互いに対向する側面および背面と、要素(33)の横方向の境界を定める複数のスリットが切り込まれたシート(31)からなる折り畳み風景とを有し、上記要素は、上記スリットの間を延びる折り目(34,35)を有し、上記蓋が起き上がり位置まで旋回されたとき、空間に飛び出し、上記シートは、上記箱に固定される第１の部分と、上記蓋に固定される第２の部分を有する折り畳み風景構造において、
上記蓋(20)は、この蓋の面(21)に垂直に延びる２つの横枠(22)と１つの後枠(23)とからなり、上記蓋が上記箱の上に折り畳まれたとき、これらの枠(22,23)が上記箱(10)の側面(12)と背面(13)の枠になるとともに、上記蓋の横枠(22)は、固定手段(40)によって上記箱の側面(12)に取り付けられ、上記固定手段は、この固定手段(40)によって定義される仮想軸の回りに上記蓋(20)を旋回させうるように、上記箱の側面(12)および蓋の横枠(22)に挿通されていることを特徴とする折り畳み風景構造。
【請求項２】
請求項１に記載の折り畳み風景構造において、上記各固定手段(40)は、箱(10)の側面(12)の長穴(14)に挿通され、この長穴の長さ方向は、上記側面の長手方向になっていることを特徴とする折り畳み風景構造。
【請求項３】
請求項１に記載の折り畳み風景構造において、上記各固定手段(40)は、上記蓋(20)の横枠(22)の楕円穴(24)に挿通され、この楕円穴の長軸は、上記横枠の長手方向に対して傾斜していることを特徴とする折り畳み風景構造。
【請求項４】
請求項１に記載の折り畳み風景構造において、上記各固定手段(40)は、互いに嵌合する２つの要素(41,42)からなることを特徴とする折り畳み風景構造。
【請求項５】
底部およびこの底部に旋回可能に取り付けられた蓋(20)を備えた請求項１に記載の折り畳み風景構造のための箱(10)において、上記箱の底部に折り畳み風景の上記第１の部分が固定され、上記蓋に折り畳み風景の上記第２の部分が固定されることを特徴とする箱。
【請求項６】
請求項５に記載の箱において、上記箱(10)の底部は、第１の面(11)に加えて、この第１の面(11)に垂直に延びるとともに互いに対向する第１および第２の側面(12)を有し、
上記箱は、この箱の底部の第１の側面(12)を上記蓋の第１の横枠(22)に旋回可能に取り付ける第１固定手段(40)と、この箱の底部の第２の側面(12)を上記蓋の第２の横枠(22)に旋回可能に取り付ける第２の固定手段(40)とを更に有し、
上記蓋(20)は、上記第１の面(11)の下に嵌合して、上記第２の面を第１の面に対して垂直な位置に固定し、上記シート(31)が引き裂かれるのを防止する背面(23)を更に有し、
上記箱の底部の第１および第２の側面は、この第１および第２の側面の長手方向に沿って延びる第１および第２の長穴(14)を夫々有し、
上記蓋(20)の第１および第２の横枠は、この第１および第２の横枠の長手方向に対して傾斜した方向に沿って延びる第１および第２の楕円穴(24)を夫々有し、
上記箱の側面の第１および第２の長穴(14)ならびに上記蓋の横枠の第１および第２の楕円穴(24)は、上記第１および第２の固定手段(40)を収容し、上記蓋が閉位置から垂直な位置に旋回するとき、この蓋の並進運動を可能にすることを特徴とする箱。
【請求項７】
請求項６に記載の箱において、上記蓋(20)の背面(23)は、上記第２の面(21)から垂直に延びていることを特徴とする箱。
【請求項８】
請求項７に記載の箱において、上記蓋(20)の背面(23)は、折り畳まれた位置で上記第１の面(11）から垂直に延びていることを特徴とする箱。
【請求項９】
請求項６乃至８のいずれか１つ記載の箱において、この箱の底部は、上記第１の面(11)から垂直に延びる背面(13)を更に有し、上記蓋(20)の並進運動は、この蓋の背面(23)が、上記第１の面(11)と上記箱の底部の背面(13)とで形成される直角縁によって運動が妨げられることなく、折り畳まれた位置から垂直な位置へ自由に旋回することを可能にすることを特徴とする箱。
【請求項１０】
請求項６乃至９のいずれか１つに記載の箱において、上記各固定手段(40)は、互いに嵌合する２つの要素(41,42)からなることを特徴とする箱。
【発明の詳細な説明】
本発明は、折り畳め，かつ展開できる３次元の風景構造に関する。
本発明の目的は、展開することができ、空間において様々な平面内で形状を呈することができる折り畳み風景を作ることにある。本発明は、これに限定されるものではないが、とりわけ子供の風景玩具に適用される。
上記目的を達成するためには、次のような折り畳み風景構造を提供することが有利なようである。即ち、この折り畳み風景構造は、要素の横方向の境界を定める複数のスリットが設けられ，このスリットの間を延びる折り目を上記要素が有するようなシートからなり、このシートの一端が第１の面に固定され，このシートの他端が第２の面に固定されて、上記一方の面が他方の面に実質上垂直な位置にあるとき、上記いずれかの面に平行な少なくとも１つの平面を形成しつつ、上記要素が空間に開く（展開する）とともに、上記いずれかの面が他方の面の上に折り畳まれるとき、上記風景構造がそれ自身の上に折り畳まれるようになっている。上記折り畳み風景構造は、任意の材料からなる一枚の平坦なシートから作ることができる。空間内の各展開要素は、様々な外形を有しうるとともに、任意の所望の風景を作るために自由に飾られることができる。
有利な実施例によれば、本発明の折り畳みシートは、箱の底面とこの箱の頂部に折り畳まれる蓋の内面との双方に固定される。かくて、風景構造は、蓋を単に閉じることのみによって蓋で閉ざされた上記箱内に折り畳まれ、かつ蓋を起こすことによって展開する。上記蓋は、固定手段によって上記箱の取り付けられ、上記固定手段は、蓋が繰り返して開かれても展開する風景構造を引き裂く虞れがないようになっている。
本発明の他の形態によれば、上記蓋は、この蓋の面に実質上垂直に配置された２つの横枠と１つの後枠とからなり、蓋が箱の上に折り畳まれたとき、これらの枠が少なくとも部分的に箱の測部と背面の枠になるとともに、上記蓋の横枠は、固定手段によって箱の側部に取り付けられ、上記固定手段は、この固定手段によって定義される仮想軸の回りに蓋を旋回させうるように上記箱の側部および蓋の横枠に挿通されている。
本発明の上記固定手段により、蓋は、２つの固定要素によって定義される仮想軸の回りに旋回することができる。蓋の開動の際、蓋は、風景ユニットを一緒に連れて開動し、風景ユニットが起き上がるまで展開させる。そして、展開要素は、空間内に展開する。蓋の旋回は、箱の両側に設けられた細長い形状の穴によって可能になり、この旋回は、蓋の後枠が、箱の背部と底部の結合部によって形成される直角の縁を取り囲むことを可能にする。蓋の旋回は、蓋の後枠が箱の底部に下方から当接すると停止する。この後枠の存在は、蓋を起き上がった位置に保持して、展開風景が引き裂かれるのを防止する。
上述と逆の方向へ蓋が旋回すると、蓋は、風景構造を箱内へ自動的に折り畳みつつ畳まれる。このとき、風景要素は、折り畳み線に沿って折り畳まれる。
本発明は、添付の図面に示されており、この図面に基づいて本発明が説明されるが、ここで、
図１は、蓋を起こした状態の本発明による箱の斜視図であり、まだ取り付けられていない展開した風景が概略的に示されている。
図２は、風景が取り付けられて開かれた図１の箱を示す図である。
図３は、蓋が嵌め込まれた図１の箱を示す図である。
図４は、箱とその蓋の有利な実施例を示す図である。
図５は、図１に示された蓋を箱に取り付ける器具の例を示す拡大分解図である。
図１を参照すると、蓋２０を起こして、番号３０で示す本発明のよる折り畳み風景構造を受け入れる準備ができた箱１０が示されている。上記風景構造は、スリット３２が切り込まれたシート３１からなる。上記スリットは、幾つかの展開要素３３の境界を定めており、これらの展開要素は、互いに逆方向に開く折り畳みを形成すべく、隣り合う２つのスリットの間に延びる折り畳み線３４,３５を有する。シート３１が図１に示すように実質上直角に折り畳まれるようになっていると、展開要素３３は、底部３１から分離するように展開して、空間に幾つかの平行な平面３６を形成する。多数の外形,外観,シーンに作れることができるこのような風景は、蓋の内面２１および箱の底面１１に固定される。この固定は、風景の例えば長手方向縁３７,３８に沿って行なうことができる。
蓋２０は、この蓋が、風景構造３０を引き裂く虞れなく、箱１０の底面と実質上垂直な位置に起こされ、図３にも示されたこの位置を保持するように、箱１０に取り付けられる。この目的は、本発明による後述する装置によって達成される。
蓋２０は横枠２２を有し、この横枠は、蓋が箱の頂部上に畳み降ろされるとき、箱の幅部分の少なくとも一部を覆って箱の側部１２の枠になる。蓋２０が図２に示すように起こされると、上述の横枠２２の一部は、箱１０の側部１２の一部をなす枠になる。蓋の横枠２２は、蓋の幅の一部分のみの亘ってしか延び得ないことが分かる。さらに、蓋２０は、図示の例では２つの横枠を互いに繋ぐ後枠２３を有する。この後枠２３は、蓋が起こされたとき、箱１０の底部に下方から当接するようになる。固定手段４０は、各横枠２２を箱１０の側部１２に取り付けるために配置される。図２において、風景構造の底部は、右側横縁の折り畳み偶部に切欠き３９を有する。図示の例では、この切欠きは、蓋の全長を覆う風景構造の背部が、固定手段(器具)の頭部を捕えることなく折り畳まれることを可能にする。同様の切欠きは、風景構造の背部の(図示しない)左側横縁にも設けられている。
各固定手段４０は、箱１０の側部１２の長穴１４に挿通され、この長穴の長さ方向は、上記側部の長手方向になっている。
各固定手段４０は、蓋２０の横枠２２の楕円穴２４に挿通されるのが好ましく、上記楕円穴の長軸は、上記横枠の長手方向に対して傾斜している(図４参照)。
本発明の固定手段(器具)により、蓋２０は、２つの固定要素４０で定義される仮想軸の回りに旋回することができる。蓋の開動の際、蓋２０は、風景ユニット３０を一緒に連れて開動し、風景ユニットを図２に示す起き上がり位置になるまで展開させる。すると、展開要素３３は、空間内に展開する。蓋の旋回は、箱１０の両側部に設けられた穴の細長い形状よって可能になり、この旋回は、蓋の後枠２３が、箱の背部１３と底部１１の結合部分によって形成される直角の縁を取り囲むことを可能にする。蓋の旋回は、蓋の後枠２３が箱の底部に下方から当接するときに停止する。この後枠２３の存在は、蓋を起き上がった位置に保持して、展開風景３０が引き裂かれるのを防止する。
上述の逆の方向へ蓋が旋回すると、蓋は、風景構造３０を箱内へ自動的に折り畳みつつ畳み降ろされる。このとき、展開要素３３は、折り畳み線３４,３５に沿って折り畳まれる。
図５に示す実施例では、接続部品は、例えば互いに嵌合する２つの要素４１,４２からなる。２つの要素の夫々は、頭部４３,４４を有する。２つの要素が互いに嵌合されると、２つの頭部の突起は、できるだけ座金４５を介装して、箱の側部および蓋の横枠で形成されるユニットを一緒に繋ぐ。２つの要素４１,４２を互いに一体にするのは、雌要素４１を雄要素４２のコネクタ４６にクリップすることによって簡単に行なうことができる。
上記箱は、風景(組立,記録,カセット等)に用いるためおよびゲームのための種々の有益な装飾品を収容するためにも勿論役立てることができる。
添付の図面に示され,既に述べられた実施例は、図解として与えられた例にすぎず、本発明は決してこの実施例に限定されるのもではない。どんな変更,どんな変形例,どんな均等な配置も、本発明の範囲に含まれると解されなければならない
【図１】
0003761577.tif 000002
【図２】
0003761577.tif 000003
【図３】
0003761577.tif 000004
【図４】
0003761577.tif 000005
【図５】
0003761577.tif 000006